(57)【特許請求の範囲】
【請求項１】
排気口を有する外装筐体と、前記排気口を開放する開位置または閉塞する閉位置に回転軸を中心として回転移動する羽根板と、前記羽根板を動作させる駆動機構と、前記羽根板を軸支する支持部材とを備えたプロジェクターであって、
前記羽根板及び前記支持部材には、前記閉位置においてお互いに係合する係合構造が設けられ、
前記係合構造は、
前記羽根板に形成された係合部と、
前記支持部材に形成された係止部とで構成されている
ことを特徴とするプロジェクター。
【請求項２】
請求項１に記載のプロジェクターにおいて、
前記係合構造は、
前記開位置においても前記羽根板と前記支持部材とが係合するように前記係止部を備える
ことを特徴とするプロジェクター。
【請求項３】
請求項１または請求項２に記載のプロジェクターにおいて、
前記羽根板は、
前記回転軸から延出する延出部を備え、
前記係合構造は、
前記延出部の先端側に設けられている
ことを特徴とするプロジェクター。
【請求項４】
請求項３に記載のプロジェクターにおいて、
前記羽根板は、
前記延出部の鉛直方向における端部に位置する端縁部を備え、
前記支持部材は、
前記端縁部に対して隙間を有して対向する平面部を備え、
前記係合部は、
前記端縁部から前記平面部に対して突出し、
前記係合部の突出長さは、
前記隙間よりも小さい
ことを特徴とするプロジェクター。
【請求項５】
請求項４に記載のプロジェクターにおいて、
前記羽根板は、
前記回転軸に沿う方向に遊びを有して軸支され、
前記係止部は、
前記平面部から前記係合部に対して突出し、先端に前記係合部と係合する凹部を有する突出形状で構成され、
前記遊びの長さは、
前記羽根板が下端に移動した状態における前記係合部の突端から前記係止部の先端までの前記係合部の突出方向における距離よりも大きい
ことを特徴とするプロジェクター。
【請求項６】
請求項４に記載のプロジェクターにおいて、
前記羽根板は、
前記回転軸に沿う方向に遊びを有して軸支され、
前記係止部は、
前記平面部から前記係合部に対して突出し、先端に前記係合部と係合する凹部を有する突出形状で構成され、
前記隙間は、
前記羽根板が下端に移動した状態における前記端縁部と前記平面部との隙間であり、
前記係合部の突出長さと、前記係合部及び前記係止部の係合位置における前記係合部の突端から前記平面部までの長さとを加算した長さよりも小さい
ことを特徴とするプロジェクター。
【請求項７】
請求項６に記載のプロジェクターにおいて、
前記係合部は、
前記端縁部の上下端にそれぞれ備えられ、
前記係止部は、
各前記係合部に対応してそれぞれ備えられ、
前記係合部の突端間の長さは、
前記係止部の先端間の長さよりも小さい
ことを特徴とするプロジェクター。
【請求項８】
請求項３に記載のプロジェクターにおいて、
前記延出部は、
前記回転軸からお互いに逆方向に延出するように一対設けられ、
前記羽根板は、
前記回転軸を中心とする回転対称形状を有する
ことを特徴とするプロジェクター。
【請求項９】
請求項５に記載のプロジェクターにおいて、
前記係止部は、
前記係合部が接する部分に傾斜面を有する
ことを特徴とするプロジェクター。
【請求項１０】
請求項５に記載のプロジェクターにおいて、
前記凹部は、
前記羽根板が回転移動する際における前記係合部の軌跡と交差して延びる溝状に形成されている
ことを特徴とするプロジェクター。
【発明の詳細な説明】
【技術分野】
【０００１】
本発明は、プロジェクターに関する。
【背景技術】
【０００２】
従来、プロジェクターにおいて、外装筐体に形成された排気口に、排気口の開閉を行うための複数の羽板（ルーバー）を設けた構成が提案されている（例えば、特許文献１参照）。
特許文献１のプロジェクター（投射装置）では、外装筐体（外郭部品）に対して複数の羽板を回転可能に取り付け、当該複数の羽板を回転移動させることで、排気口を開閉可能とする構造（以下、開閉構造）を採用している。
具体的に、開閉構造は、細長い平板形状を有し、長手方向に沿って直線移動するアームを備える。また、複数の羽板には、ルーバー回転軸に平行なルーバーガイド軸がそれぞれ設けられている。そして、各ルーバーガイド軸は、アームに形成された各長孔（アームガイド用穴）に挿入されている。
そして、アームを長手方向に沿って直線移動させることで、各長孔の内縁にて各ルーバーガイド軸に力を加え、各羽板を一括して回転移動させている。
【先行技術文献】
【特許文献】
【０００３】
【特許文献１】特開２００３−３１５９１０号公報
【発明の概要】
【発明が解決しようとする課題】
【０００４】
しかしながら、特許文献１のプロジェクターでは、羽板を回転移動させて排気口を閉塞しても、アームに形成された各長孔とルーバーガイド軸との隙間等により羽板が搖動してしまい、排気口を閉塞した状態を保ちにくいという問題がある。
【０００５】
本発明の目的は、排気口の閉塞状態を保つことができるプロジェクターを提供することにある。
【課題を解決するための手段】
【０００６】
本発明のプロジェクターは、排気口を有する外装筐体と、前記排気口を開放する開位置または閉塞する閉位置に回転軸を中心として回転移動する羽根板と、前記羽根板を動作させる駆動機構と、前記羽根板を軸支する支持部材とを備えたプロジェクターであって、前記羽根板及び前記支持部材には、前記閉位置においてお互いに係合する係合構造が設けられ、前記係合構造は、前記羽根板に形成された係合部と、前記支持部材に形成された係止部とで構成されていることを特徴とする。
【０００７】
本発明では、羽根板が閉位置に回転移動した場合には、羽根板と支持部材とが係合構造によってお互いに係合する。このため、閉位置での羽根板の揺動を防止でき、排気口の閉塞状態を保つことができる。
【０００８】
本発明のプロジェクターでは、前記係合構造は、前記開位置においても前記羽根板と前記支持部材とが係合するように前記係止部を備えることが好ましい。
ここで、羽根板を開位置に回転移動させた後であっても、上述した閉位置の場合と同様、羽根板が搖動してしまう。このように、羽根板が搖動すると、排気口から漏れ光（プロジェクター内の光源の光の漏れ光）がある場合に、この漏れ光が羽根板の揺動によって揺らぎ、プロジェクターの使用時に、この漏れ光の揺らぎによって、ちらつきが生じる可能性がある。
本発明では、羽根板が開位置に回転移動した場合には、羽根板と支持部材とが係合構造によってお互いに係合する。このため、開位置での羽根板の揺動を防止できる。このことにより、排気口から漏れ光がある場合であっても、漏れ光の揺らぎを防止して、ちらつきが生じることを防止できる。
【０００９】
本発明のプロジェクターでは、前記羽根板は、前記回転軸から延出する延出部を備え、前記係合構造は、前記延出部の先端側に設けられていることが好ましい。
ここで、係合部及び係止部の係合位置における羽根板は、回転軸部分（支持部材への軸支部分）と係合構造部分とで支持部材に支持される。このため、回転軸から係合構造までの距離が短いと、安定して羽根板を保持しにくくなる。
本発明では、回転軸から離間した延出部の先端側に係合構造を設けているので、係合構造を回転軸に近い位置に設けた場合と比較して、羽根板を安定して保持できる。
【００１０】
本発明のプロジェクターでは、前記羽根板は、前記延出部の鉛直方向における端部に位置する端縁部を備え、前記支持部材は、前記端縁部に対して隙間を有して対向する平面部を備え、前記係合部は、前記端縁部から前記平面部に対して突出し、前記係合部の突出長さは、前記隙間よりも小さいことが好ましい。
本発明では、係合部の突出長さが端縁部と平面部との隙間よりも小さいため、羽根板が回転移動する際に係合部と平面部とが接しない。このことにより、羽根板を回転移動した際における係合部と平面部との摩擦抵抗が無くなり、係合部と平面部とが接する構成と比較して、羽根板を円滑かつ弱い力で回転移動させることができる。
【００１１】
本発明のプロジェクターでは、前記羽根板は、前記回転軸に沿う方向に遊びを有して軸支され、前記係止部は、前記平面部から前記係合部に対して突出し、先端に前記係合部と係合する凹部を有する突出形状で構成され、前記遊びの長さは、前記羽根板が下端に移動した状態における前記係合部の突端から前記係止部の先端までの前記係合部の突出方向における距離よりも大きいことが好ましい。
ここで、羽根板が支持部材に遊びを有することなく支持されていると、係合部を凹部に係合させるために、羽根板に負荷を加え、羽根板を変形させて係合させる必要がある。
本発明では、羽根板は、遊びによって回転軸に沿って移動可能であり、係止部は、係合部に対して下側に位置しているため、羽根板が下側に移動して遊びが詰められる。これにより、羽根板を係合位置に回転移動しようとした場合、係合部が係止部に当接する。しかしながら、羽根板の回転軸方向の遊びの長さが、羽根板を下側に移動させた状態における係合部の突端から係止部の先端までの係合部の突出方向における距離よりも大きく構成されている。このことにより、羽根板を上側に移動させることで係合部を係止部の先端の凹部と係合できる。したがって、羽根板に負荷を加えて変形させることなく、係合部を係合できる。
【００１２】
また、本発明のプロジェクターでは、前記羽根板は、前記回転軸に沿う方向に遊びを有して軸支され、前記係止部は、前記平面部から前記係合部に対して突出し、先端に前記係合部と係合する凹部を有する突出形状で構成され、前記隙間は、前記羽根板が下端に移動した状態における前記端縁部と前記平面部との隙間であり、前記係合部の突出長さと、前記係合部及び前記係止部の係合位置における前記係合部の突端から前記平面部までの長さとを加算した長さよりも小さいことが好ましい。
本発明では、羽根板が下側に移動した状態における端縁部と平面部との隙間が、係合部の突出長さと、係合位置における係合部の突端から平面部までの長さとを加算した長さよりも小さい。このため、係合位置では、羽根板が下側に完全に移動しない。つまり、係合位置では、羽根板の自重によって係合部が凹部に押圧されて係合するため、羽根板に負荷を加えずに係合状態を良好に保てる。
【００１３】
本発明のプロジェクターでは、前記係合部は、前記端縁部の上下端にそれぞれ備えられ、前記係止部は、各前記係合部に対応してそれぞれ備えられ、前記係合部の突端間の長さは、前記係止部の先端間の長さよりも小さいことが好ましい。
ここで、プロジェクターとして、正置き姿勢（机等の設置面に載置された姿勢）での設置と、天吊り姿勢（正置き姿勢とは上下が逆となるように天井等に固定された姿勢）での設置とに対応したものが知られている。
本発明では、端縁部の下端が上端に対して下側に位置する姿勢（例えば、正置き姿勢）では、羽根板が遊びを有して軸支されているので羽根板の自重によって下側に羽根板が移動する。このため、係合位置では下端側の係合構造によって羽根板の遥動が防止される。また、各係合部の突端間の長さは、各係止部の先端間の長さよりも小さい。このため、上端側の係合構造では係合部と係止部とに隙間が生じる。
なお、端縁部の下端が上端に対して上側に位置する姿勢（例えば、天吊り姿勢）では、上端側の係合構造によって羽根板の遥動が防止され、下端側の係合構造では係合部と係止部とに隙間が生じる。
したがって、上端側及び下端側のいずれか一方の係合構造により羽根板の遥動を防止できるので、両端側の係合構造により羽根板の遥動を防止する場合と比較して、それ程大きくない力で係合部の係合及び係合の解除を行うことができる。
【００１４】
本発明のプロジェクターでは、前記延出部は、前記回転軸からお互いに逆方向に延出するように一対設けられ、前記羽根板は、前記回転軸を中心とする回転対称形状を有することが好ましい。
ここで、回転軸から延出する延出部が一つだけの場合には、羽根板の重心は、回転軸上から外れた位置（延出部の延出方向に離間した位置）となる。そして、このような羽根板を採用した場合には、例えば、プロジェクターの投射角度（投射位置）を変更するためにプロジェクターの姿勢を変化させた場合には、羽根板の先端側に重心があるので羽根板が移動し易く、羽根板の回転位置が所望の位置からずれてしまう恐れがある。
本発明によれば、羽根板が回転軸を中心とする回転対称形状を有し、お互いに回転軸から逆方向に延出する一対の延出部によって構成されているので、羽根板の重心は、回転軸上に位置する。このため、投射角度等に応じてプロジェクターの姿勢を変化させた場合であっても、羽根板の回転位置が所望の位置からずれる恐れもない。
【００１５】
本発明のプロジェクターでは、前記係止部は、前記係合部が接する部分に傾斜面を有することが好ましい。
本発明では、係合部が接する部分が傾斜面であるため、羽根板が閉位置に回転移動する際に、羽根板に加わる負荷を一定にでき、円滑に羽根板を回転移動できる。
【００１６】
本発明のプロジェクターでは、前記凹部は、前記羽根板が回転移動する際における前記係合部の軌跡と交差して延びる溝状に形成されていることが好ましい。
ここで、凹部を軌跡上の一点に形成する場合には、係合位置において係合部が凹部に係合するように、精密に羽根板及び支持部材を製造しなくてはならない。
本発明では、羽根板が回転移動する際における係合部の軌跡と交差して延びる溝状に凹部を形成しているため、羽根板及び支持部材を精密に製造しなくても、係合位置において係合部を凹部に係合できるので、プロジェクターの製造が容易となる。
【図面の簡単な説明】
【００１７】
【図１】本発明の一実施形態に係るプロジェクターの外観構成を示す斜視図。
【図２】前記実施形態におけるプロジェクターの内部構成を示す平面図。
【図３】前記実施形態におけるシャッター装置の構成を示す斜視図。
【図４】前記実施形態におけるシャッター装置の構成を示す分解斜視図。
【図５】前記実施形態における羽根板の構成を示す斜視図。
【図６】前記実施形態における羽根板とカムプレートの動作を示す平面図。
【図７】前記実施形態における羽根板を部分的に拡大した斜視図。
【図８】前記実施形態における下縁部を部分的に拡大した斜視図。
【図９】前記実施形態における係合構造の長さを説明する模式図。
【図１０】前記実施形態における係合構造の長さを説明する模式図。
【図１１】前記実施形態におけるシャッター装置の動作を説明する図。
【図１２】前記実施形態におけるシャッター装置の動作を説明する図。
【図１３】前記実施形態におけるシャッター装置の動作を説明する図。
【発明を実施するための形態】
【００１８】
以下、本発明の実施の一形態を図面に基づいて説明する。
〔プロジェクターの外観構成〕
図１は、プロジェクター１の外観構成を示す図である。具体的に、図１は、正置き姿勢（机等の設置面に載置された姿勢）で設置したプロジェクター１を示す図である。
なお、プロジェクター１は、この正置き姿勢での設置、及び、天吊り姿勢（正置き姿勢とは上下が逆となるように天井等に固定された姿勢）での設置に対応している。
また、以下では、プロジェクター１において投射側（投射レンズ３Ｃが配置された側）を「前面」とし、その反対側を「背面」とする。また、図１中の上（天面側）及び下（底面側）をそれぞれ「上」、「下」とする。さらに、プロジェクター１を前面から見た時の左右をそれぞれ「左」、「右」とする。
【００１９】
プロジェクター１は、画像を投射してスクリーン（図示略）上に投影画像を表示する。
このプロジェクター１は、図１に示すように、プロジェクター１の外装を構成する外装筐体２を備える。
外装筐体２は、プロジェクター１を構成する各部材を収容するものであり、図１に示すように、略直方体状に構成されている。すなわち、外装筐体２は、図１に示すように、前面側に位置する前壁部２Ａと、背面側に位置する後壁部２Ｂと、前面側から見て左右にそれぞれ位置する左壁部２Ｃ及び右壁部２Ｄと、これら各壁部２Ａ〜２Ｄに接続する天面部２Ｅ及び底面部２Ｆとを備える。
そして、左壁部２Ｃには、プロジェクター１内部の空気を外部に排出するための排気口２１が設けられている。
【００２０】
〔プロジェクターの内部構成〕
図２はプロジェクター１の内部構成を模式的に示す平面図である。
外装筐体２の内部には、図２に示すように、光学ユニット３と、電源ユニット４と、排気ファン５と、シャッター装置６とが配設されている。
光学ユニット３は、図２に示すように、左壁部２Ｃ側から後壁部２Ｂに沿って延出するとともに、前壁部２Ａに向けて屈曲する平面視略Ｌ字形状を有する。
この光学ユニット３は、種々の一般的なプロジェクターで利用されているため、具体的な説明は省略するが、図２に示すように、光源ランプを有する光源装置３Ａと、光源装置３Ａから出射された光束を変調する液晶パネル等の光変調装置（図示略）と、光変調装置にて変調された光束を投射する投射レンズ３Ｃ等を備える。
【００２１】
電源ユニット４は、図２に示すように、光学ユニット３における平面視略Ｌ字状の内側（前壁部２Ａと光源装置３Ａとの間）に配設され、プロジェクター１の各構成部材に電力を供給する。
排気ファン５は、図２に示すように、光源装置３Ａに近接して配設され、光源装置３Ａ近傍の空気を吸入し、排気口２１を介して外装筐体２外部に排出する。
【００２２】
〔シャッター装置の構成〕
図３及び図４は、シャッター装置６の構成を示す図である。具体的に、図３は、シャッター装置６を前面左側から見た斜視図であり、図４は、その分解斜視図である。
シャッター装置６は、排気口２１を開閉するためのものである。
このシャッター装置６は、図３及び図４に示すように、支持部材としてのフレーム部材７と、ルーバー８と、駆動機構９とを備える。
【００２３】
〔フレーム部材の構成〕
フレーム部材７は、シャッター装置６を構成する各部材８，９等を一体的に組み上げるものであり、排気口２１に対向するように外装筐体２内部に取り付けられる。
このフレーム部材７は、図３に示すように、上下にそれぞれ位置する上縁部７１及び下縁部７２と、前面側及び背面側にそれぞれ位置する前縁部７３及び後縁部７４とを有し、左壁部２Ｃ側から見た場合に排気口２１を囲む矩形枠状に形成されている。
そして、フレーム部材７は、図４に示すように、上縁部７１の一部（以下、第１フレーム部材７Ａ）が他の部位（以下、第２フレーム部材７Ｂ）に対して着脱自在に構成されている。
【００２４】
第１フレーム部材７Ａは、図４に示すように、前後方向（前面側から背面側への方向）に延びる矩形板状に形成されている。
この第１フレーム部材７Ａには、下方に窪み、第１フレーム部材７Ａの長手方向に沿って延びるガイド溝７５が形成されている。
このガイド溝７５の底部分には、第１フレーム部材７Ａの長手方向に沿って等間隔に第１円孔７６が形成されている。
また、各第１円孔７６に近接した位置には、各第１円孔７６を中心として円弧状に延びる規制孔７７がそれぞれ形成されている。
【００２５】
第２フレーム部材７Ｂにおいて、下縁部７２には、図４に示すように、各第１円孔７６に対向する位置に第２円孔７８がそれぞれ形成されている。
また、第２フレーム部材７Ｂにおいて、前後方向の略中央部分には、上縁部７１及び下縁部７２を跨り光源装置３Ａ側と電源ユニット４側とを区画する区画部７９が形成されている。
【００２６】
〔ルーバーの構成〕
ルーバー８は、上縁部７１及び下縁部７２間に回転可能に軸支され、フレーム部材７の開口部分（排気口２１）を開放する開位置（図６（Ａ）参照）、または、閉塞する閉位置（図６（Ｂ）参照）に回転移動する。
このルーバー８は、図３及び図４に示すように、複数の羽根板８１を備える。
【００２７】
図５は、羽根板８１の構成を示す斜視図である。
羽根板８１は、図５に示すように、羽根板８１の回転の中心である回転軸Ａからお互いに逆方向に延び、先端部分がクランク状に屈曲した一対の延出部８１Ａ，８１Ｂを備える。そして、この延出部８１Ａ，８１Ｂは回転軸Ａを中心とした回転対称形状を有する。
この羽根板８１において、上下端には、図５に示すように、回転軸Ａに沿って突出する軸部８２がそれぞれ形成されている。
そして、羽根板８１は、上縁部７１及び下縁部７２の各円孔７６，７８に軸部８２がそれぞれ軸支されることで回転可能に構成される。
【００２８】
また、羽根板８１において、上端には、図５に示すように、一方の延出部８１Ａの軸部８２に近接する箇所から面外方向にずれた位置に配置され、軸部８２に平行して突出する突出部としてのカムピン８３が形成されている。このカムピン８３は円柱形状に形成されている。なお、軸Ｂはカムピン８３の中心軸である。
そして、カムピン８３は、羽根板８１が上縁部７１及び下縁部７２間に軸支された状態では、規制孔７７に挿入され、上縁部７１より上方側に突出する。
なお、羽根板８１及び上述したフレーム部材７には、お互いに係合する係合構造が設けられている。この係合構造については、後で詳述する。
【００２９】
〔駆動機構の構成〕
駆動機構９は、ルーバー８を動作させるものであり、図３または図４に示すように、移動部材としてのカムプレート９１と、弾性部材９２Ａと、ソレノイド９２Ｂとを備える。
【００３０】
まず、カムプレート９１について説明する。
カムプレート９１は、複数の羽根板８１の各カムピン８３に係合し、各カムピン８３に力を加えることで、一括して複数の羽根板８１（ルーバー８）を開位置または閉位置に回転移動させる。
このカムプレート９１は、図４に示すように、前後方向に延びる矩形板状に形成されている。そして、カムプレート９１は、第１フレーム部材７Ａのガイド溝７５に遊嵌し、前後方向に直線移動可能に構成されている。
【００３１】
このカムプレート９１には、図３または図４に示すように、カムプレート９１の長手方向に沿って等間隔（複数の羽根板８１の配設間隔）に長孔９１Ａが形成されている。
これら長孔９１Ａは、カムプレート９１の移動方向に直交する左右方向（水平方向）に延びるように形成されている。
そして、長孔９１Ａには、カムプレート９１がガイド溝７５に遊嵌した状態で、上縁部７１から上方側に突出したカムピン８３が挿入される。
【００３２】
図６は、羽根板８１とカムプレート９１の動作を説明するための平面図である。具体的に、図６は、羽根板８１及びカムプレート９１を上から見た部分平面図である。なお、図６（Ａ）は、ルーバー８が開位置の状態を示し、図６（Ｂ）は、ルーバー８が閉位置の状態を示している。また、図６中、右側がプロジェクター１の前面側に相当し、左側がプロジェクター１の背面側に相当するものである。
【００３３】
ルーバー８は、以下のようにして開位置から閉位置に回転移動する。
すなわち、カムプレート９１は、図６（Ａ）に示すように、開位置では、背面側に位置している。ここで、カムプレート９１を前面側に移動させると、長孔９１Ａの内縁によりカムピン８３が前面側に押され、カムプレート９１の動きに連動して、各羽根板８１が一括して回転移動（図６では反時計回りに回転移動）し、ルーバー８が閉位置となる（図６（Ｂ））。
また、カムプレート９１を上記と逆に動作させることで、ルーバー８は、閉位置から開位置に回転移動することになる。
【００３４】
次に、カムプレート９１を直線移動させる動力となる弾性部材９２Ａ及びソレノイド９２Ｂについて説明する。
弾性部材９２Ａは、カムプレート９１を前方に付勢する部材である。
本実施形態では、弾性部材９２Ａは、引張コイルバネで構成されており、図４に示すように、カムプレート９１の前面側の端部とフレーム部材７との間に取付けられている。
ソレノイド９２Ｂは、カムプレート９１を動作させるものである。
ソレノイド９２Ｂは、自己保持型ソレノイドで構成されており、図示しない制御装置の制御の下、吸引動作、吸着動作及び復帰動作を行う。
吸引動作では、可動鉄芯９３（図３，４）が背面側に移動し、これに応じてカムプレート９１も背面側に移動して、ルーバー８が開位置に回転移動する。
吸着動作では、背面側に移動した可動鉄芯９３を保持し、これに応じて、ルーバー８は、開位置に位置付けられた状態に維持される。
復帰動作では、可動鉄芯９３が前面側に移動し、これに応じてカムプレート９１も前面側に移動して、ルーバー８が閉位置に回転移動する。
【００３５】
〔羽根板とフレーム部材の係合構造〕
図７は、羽根板８１を部分的に拡大した斜視図である。具体的に、図７は、羽根板８１の下端を斜め下側から見た斜視図である。
なお、以下では、羽根板８１の下端の構成を例示して説明するが、図５に示すように、上端についても同様の構成を有している。
【００３６】
羽根板８１は、図７に示すように、延出部８１Ｂの鉛直方向における端部に位置する下端側に端縁部８１１Ｄを有している。そして、上述した軸部８２は、座部８１２Ｄを介してこの端縁部８１１Ｄから突出している。
座部８１２Ｄは、回転軸Ａと同軸で、軸部８２よりも直径が大きい円柱形状を有し、羽根板８１の下側に突出しており、下縁部７２に対向する環状の座面８１３Ｄを有している。
【００３７】
端縁部８１１Ｄには、端縁部８１１Ｄから下縁部７２に向かう方向に突出する係合部８４Ｄが設けられている。この係合部８４Ｄは、端縁部８１１Ｄにおける延出部８１Ｂの先端側に設けられている。この係合部８４Ｄは、図７に示すように、端部が半球状に形成されている。
【００３８】
図８は、下縁部７２を部分的に拡大した斜視図である。具体的に、図８は、図３と同様、シャッター装置６を前面左側から見た斜視図である。なお、以下では、下縁部７２の構成を例示して説明するが、上縁部７１についても同様の構成を有している。
【００３９】
下縁部７２は、上縁部７１と対向する平面部７２Ｄを有している。この平面部７２Ｄには、座部７０１Ｄと、係止部としての第１係止部７１０Ｄ及び第２係止部７２０Ｄとが設けられている。
座部７０１Ｄは、第２円孔７８の周縁に沿って平面部７２Ｄから上縁部７１に向けて段差状に突出し、上縁部７１に対向する環状の座面７０２Ｄを有している。
【００４０】
第１係止部７１０Ｄは、係合部８４Ｄとともに係合構造を構成する。この第１係止部７１０Ｄは、凹部７１１Ｄと、傾斜面７１２Ｄとを有し、平面部７２Ｄから上縁部７１に向けて突出する突出形状で構成される。第１係止部７１０Ｄは、係合部８４Ｄが第１係止部７１０Ｄの凹部７１１Ｄに係合する閉位置（係合位置）における羽根板８１を係止して、羽根板８１の遥動を防止するためのものであり、閉位置での係合部８４Ｄに対して対向する位置に設けられている。
凹部７１１Ｄは、係合部８４Ｄと係合するＶ溝であり、第１係止部７１０Ｄの先端に形成されている。この凹部７１１Ｄは、羽根板８１が回転移動する際における係合部８４Ｄの軌跡と交差するように設けられている。羽根板８１が閉位置にある場合には、この凹部７１１Ｄに係合部８４Ｄが係合する。
【００４１】
傾斜面７１２Ｄは、羽根板８１が回転移動する際に係合部８４Ｄが接する部分に設けられ、係合部８４Ｄの軌跡に沿うように凹部７１１Ｄから平面部７２Ｄに向けて傾斜する面で構成されている。この傾斜面７１２Ｄの平面部７２Ｄに対する傾斜角度は、カムプレート９１を動作させる駆動力に応じて適宜設定できる。具体的に、傾斜角度を緩くすれば、駆動力が小さくても羽根板８１を回転移動できる。
【００４２】
第２係止部７２０Ｄは、第１係止部７１０Ｄと同様の形状を有しており、係合部８４Ｄとともに係合構造を構成する。この第２係止部７２０Ｄは、係合部８４Ｄが第２係止部７２０Ｄの凹部７１１Ｄに係合する開位置（係合位置）における羽根板８１を係止して、羽根板８１の遥動を防止するためのものであり、開位置での係合部８４Ｄに対して対向する位置に設けられる。
【００４３】
図９及び図１０は、係合構造の長さを説明するための模式図である。具体的に、図９は、羽根板８１が開位置と閉位置の中間位置（以下、中間位置と略する）にある場合における長さを示し、図１０は、羽根板８１が閉位置にある場合における長さを示している。なお、以下では、図９を参照して、下端側の閉位置における係合構造の長さについて例示して説明するが、上端側の係合構造及び上下端側の開位置における係合構造についても同様の長さで構成されている。
【００４４】
係合部８４Ｄは、図９に示すように、端縁部８１１Ｄから平面部７２Ｄに対して突出長さＬ１だけ突出する。
ここで、羽根板８１は、回転軸Ａ（図４，５を参照）に沿って遊びを有して軸支されている。そのため、羽根板８１は、回転軸Ａに沿って移動可能となり、図９に示すように、中間位置では、自重によって下側に移動して、下縁部７２の座面７０２Ｄと羽根板８１の座面８１３Ｄとが当接する。そして、この状態では、端縁部８１１Ｄと平面部７２Ｄとの間に隙間Ｌ２が形成される。
この隙間Ｌ２は、係合部８４Ｄの突出長さＬ１よりも大きく（Ｌ１＜Ｌ２）構成されている。すなわち、図９に示すように、羽根板８１が中間位置の場合には、係合部８４Ｄは、平面部７２Ｄと非接触となる。
【００４５】
また、この隙間Ｌ２は、図１０に示す、係合部８４Ｄの突出長さＬ１と、係合位置（閉位置）における係合部８４Ｄの突端から平面部７２Ｄまでの長さＬ３とを加算した長さよりも小さく（Ｌ１＋Ｌ３＞Ｌ２）構成されている。すなわち、図１０に示すように、羽根板８１が下側に完全に移動せず、下縁部７２の座面７０２Ｄと羽根板８１の座面８１３Ｄとが離間した状態となる。
さらに、図１０に示すように、係合部８４Ｄ，８４Ｕの突端間の長さＬ４は、第１係止部７１０Ｄ，７１０Ｕの先端間の長さＬ５よりも小さく（Ｌ４＜Ｌ５）構成されている。このため、図１０に示すように、閉位置において、上端側の係合部８４Ｕと上端側の第１係止部７１０Ｕとの間には、隙間が形成される。
また、図９に示すように、回転軸Ａ方向の遊びの長さ（回転軸Ａ方向に羽根板８１が移動可能な距離）となる開位置と閉位置の中間位置における羽根板８１の上側の座面８１３Ｄと座面７０２Ｄ間の距離Ｌ６は、中間位置における係合部８４Ｄの突端から第１係止部７１０Ｄの先端までの係合部８４Ｄの突出方向における距離Ｌ７よりも大きく（Ｌ６＞Ｌ７）構成されている。
【００４６】
〔シャッター装置の動作〕
図１１〜図１３は、シャッター装置６の動作を説明する図である。具体的に、図１１は、羽根板８１が開位置にある状態を示し、図１２は、羽根板８１が中間位置にある状態を示し、図１３は、羽根板８１が閉位置にある状態を示す。
【００４７】
開位置の場合では、図１１に示すように、係合部８４Ｄが第２係止部７２０Ｄの凹部７１１Ｄに係合し、羽根板８１が第２係止部７２０Ｄにより係止される。この状態からソレノイド９２Ｂを復帰動作させて、羽根板８１を閉位置に向けて回転移動させると、回転軸Ａ方向の遊びによって、羽根板８１は、上側に移動し、係合部８４Ｄは、第２係止部７２０Ｄの先端を乗り越えて凹部７１１Ｄから外れる。
そして、係合部８４Ｄは、第２係止部７２０Ｄの傾斜面７１２Ｄを下りきり、図１２に示すように、羽根板８１が中間位置に移動する。
さらに、羽根板８１が閉位置に向けて回転移動すると、係合部８４Ｄは、第１係止部７１０Ｄの傾斜面７１２Ｄを登り始める。この際、回転軸Ａ方向の遊びによって、羽根板８１は、上側に移動する。係合部８４Ｄは、傾斜面７１２Ｄを登りきったところで、第１係止部７１０Ｄの凹部７１１Ｄに係合し、羽根板８１が第１係止部７１０Ｄに係止される。
なお、上述したように、羽根板８１の上端側についても下端側と同様の係合構造を有する。このため、プロジェクター１を上下反転させて天吊り姿勢に設置した場合にも、同様に動作する。
【００４８】
上述した本実施形態によれば、以下の効果がある。
羽根板８１が閉位置に回転移動した場合には、羽根板８１と下縁部７２とが係合構造（係合部８４Ｄ及び第１係止部７１０Ｄの凹部７１１Ｄ）によってお互いに係合する。このため、閉位置での羽根板８１の揺動を防止でき、排気口２１の閉塞状態を保つことができる。
【００４９】
また、羽根板８１が開位置に回転移動した場合にも、羽根板８１と下縁部７２とが同様の係合構造（係合部８４Ｄ及び第２係止部７２０Ｄの凹部７１１Ｄ）によってお互いに係合する。このため、開位置での羽根板８１の揺動を防止できる。このことにより、排気口２１から漏れ光がある場合であっても、漏れ光の揺らぎを防止して、ちらつきが生じることを防止できる。
【００５０】
さらに、回転軸Ａから離間した延出部８１Ｂの先端側に係合構造を設けているので、係合構造を回転軸Ａに近い位置に設けた場合と比較して、羽根板８１を安定して保持できる。
また、羽根板８１が回転移動する際に係合部８４Ｄと平面部７２Ｄとが接しないため、羽根板８１を円滑かつ弱い力で回転移動させることができる。
【００５１】
さらに、羽根板８１の回転軸Ａ方向の遊びの長さＬ６が、中間位置における係合部８４Ｄの突端から第１係止部７１０Ｄの先端までの係合部８４Ｄの突出方向における距離Ｌ７よりも大きく構成されている。このため、羽根板８１を変形させることなく、羽根板８１を上側に移動させて係合部８４Ｄを第１係止部７１０Ｄの先端の凹部７１１Ｄと係合できる。
【００５２】
また、隙間Ｌ２が、係合部８４Ｄの突出長さＬ１と、閉位置における係合部８４Ｄの突端から平面部７２Ｄまでの長さＬ３とを加算した長さよりも小さい。このため、閉位置では、羽根板８１が下側に完全に移動せず下縁部７２の座面７０２Ｄと羽根板８１の座面８１３Ｄとが離間した状態となる。つまり、閉位置では、羽根板８１の自重によって係合部８４Ｄが凹部７１１Ｄに押圧されて係合するため、羽根板８１に負荷を与えずに係合状態を良好に保てる。
【００５３】
さらに、正置き姿勢では、羽根板８１と下縁部７２とは遊びがあるので羽根板８１の自重によって下側に羽根板８１が移動する。このため、閉位置では、下端側の係合構造（係合部８４Ｄ及び第１係止部７１０Ｄ）によって羽根板８１の遥動が防止される。また、各係合部８４Ｄ，８４Ｕの突端間の長さＬ４は、各第１係止部７１０Ｄ，７１０Ｕの先端間の長さＬ５よりも小さい。このため、上端側の係合構造（係合部８４Ｕ及び第１係止部７１０Ｕ）では係合部８４Ｕと第１係止部７１０Ｕとに隙間が生じる。
なお、天吊り姿勢では、係合部８４Ｕ及び第１係止部７１０Ｕによって羽根板８１の遥動が防止され、係合部８４Ｄと第１係止部７１０Ｄとに隙間が生じる。
したがって、いずれか一方の係合構造により羽根板８１の遥動を防止できるので、両方の係合構造により羽根板８１の遥動を防止する場合と比較して、それ程大きくない力で係合部８４Ｄまたは係合部８４Ｕの係合及び係合の解除を行うことができる。
【００５４】
また、閉位置では、羽根板８１の自重によって係合部８４Ｄが凹部７１１Ｄに押圧されて係合する。このため、羽根板８１に負荷を与えずに係合状態を良好に保てる。
【００５５】
さらに、プロジェクター１を正置き姿勢で設置した場合には、羽根板８１は自重によって下側に移動し、閉位置では、係合部８４Ｄ及び第１係止部７１０Ｄによって羽根板８１の遥動が防止される。また、係合部８４Ｄ，８４Ｕの突端間の長さＬ４は、第１係止部７１０Ｄ，７１０Ｕの先端間の長さＬ５よりも小さいため、係合部８４Ｕと第１係止部７１０Ｕとに隙間が生じる。
なお、天吊り姿勢に設置した場合には、係合部８４Ｕ及び第１係止部７１０Ｕによって羽根板８１の遥動が防止され、係合部８４Ｄと第１係止部７１０Ｄとに隙間が生じる。
したがって、回転軸Ａの両端側のうち、いずれか一方の係合構造により羽根板８１の遥動を防止できるので、両端側の各係合構造により羽根板の遥動を防止する場合と比較して、それ程大きくない力で係合部８４Ｄ，８４Ｕの係合及び係合の解除を行うことができる。
【００５６】
また、羽根板８１が一対の延出部８１Ａ,８１Ｂによって構成されているので、羽根板８１の重心は、回転軸Ａ上に位置する。このため、投射角度等に応じてプロジェクター１の姿勢を変化させた場合であっても、羽根板８１の回転位置が所望の位置からずれる恐れもない。
【００５７】
さらに、第１係止部７１０Ｄにおいて、係合部８４Ｄが接する部分が傾斜面７１２Ｄであるため、羽根板８１が閉位置に回転移動する際に、羽根板８１に加わる負荷の変動を小さくすることができ、円滑に羽根板８１を回転移動できる。
また、凹部７１１Ｄは、羽根板８１が回転移動する際における係合部８４Ｄの軌跡と交差して延びる溝状に形成されているため、羽根板８１及びフレーム部材７を精密に製造しなくても、閉位置において係合部８４Ｄを凹部７１１Ｄに係合できるので、プロジェクター１の製造が容易となる。
また、係合部８４Ｄの端部が半球状であるため、傾斜面７１２Ｄに対する抵抗を減らし、円滑に羽根板８１を回転移動できる。
以上、閉位置での効果について説明したが、開位置でもこれらと同様の効果を奏する。
【００５８】
なお、本発明は前述の実施形態に限定されるものではなく、本発明の目的を達成できる範囲での変形、改良等は本発明に含まれるものである。
前記実施形態では、突出形状の係合部８４Ｄと、Ｖ溝である凹部７１１Ｄとを係合する構成について例示したが、係合部８４Ｄと係止部７１０Ｄ，７２０Ｄの係合構造は、これに限らない。例えば、凹部７１１Ｄは、Ｕ溝等であってもよい。また、凹部７１１Ｄを突出形状とし、係合部８４Ｄの先端部分をこの突出形状が嵌まる凹形状としてもよい。
前記実施形態では、羽根板８１の延出部８１Ｂ側に係合部８４Ｄ，８４Ｕを設けたが、これに限らない。例えば、延出部８１Ａ，８１Ｂの双方にそれぞれ係合部８４Ｄ，８４Ｕを設けてもよいし、係合部８４Ｄ，８４Ｕのうち一方を延出部８１Ａに設け、他方を延出部８１Ｂに設けてもよい。これらの場合には、第１係止部７１０Ｄ，７１０Ｕ及び第２係止部７２０Ｄ等は、それぞれ各係合部８４Ｄ，８４Ｕの閉位置及び開位置に対応する位置に適宜設ければよい。
【００５９】
前記実施形態では、駆動機構９として、カムプレート９１、弾性部材９２Ａ、及びソレノイド９２Ｂを用いたが、駆動機構９は、これに限定されない。例えば、前記実施形態では、カムプレート９１をソレノイド９２Ｂによって動作させたが、これに限らず、モーター等によって動作させてもよいし、手動で動作させてもよい。
【００６０】
前記実施形態では、排気口２１を外装筐体２の左壁部２Ｃに形成したが、前壁部２Ａ等に形成してもよい。前壁部２Ａに形成する場合には、開位置において、排気が投射レンズ３Ｃから遠ざかる向きに羽根板８１の回転移動を規制することで、投射レンズ３Ｃから投射された画像光が排気熱によって揺らぐのを防止できる。
前記実施形態では、ルーバー８を構成する羽根板８１の枚数が８つの場合を図示したが、羽根板８１の枚数は特に限定されるものではなく、排気口２１の大きさ等に応じて適宜設定すればよい。
【産業上の利用可能性】
【００６１】
本発明は、排気口の開閉状態を効率的に切り替えることができるため、プレゼンテーションやホームシアターに用いられる排気口を有するプロジェクターに利用できる。
【符号の説明】
【００６２】
１・・・プロジェクター、２・・・外装筐体、２１・・・排気口、７・・・フレーム部材（支持部材）、９・・・駆動機構、７２Ｄ・・・平面部、８１・・・羽根板、８１Ａ，８１Ｂ・・・延出部（一対の延出部）、８４Ｄ，８４Ｕ・・・係合部、７１０Ｄ，７１０Ｕ・・・第１係止部（係止部）、７１１Ｄ，７１１Ｕ・・・凹部、７１２Ｄ・・・傾斜面、７２０Ｄ・・・第２係止部（係止部）、８１１Ｄ・・・端縁部、Ａ・・・回転軸。
【図１】
0005621434.tif 000002
【図２】
0005621434.tif 000003
【図３】
0005621434.tif 000004
【図４】
0005621434.tif 000005
【図５】
0005621434.tif 000006
【図６】
0005621434.tif 000007
【図７】
0005621434.tif 000008
【図８】
0005621434.tif 000009
【図９】
0005621434.tif 000010
【図１０】
0005621434.tif 000011
【図１１】
0005621434.tif 000012
【図１２】
0005621434.tif 000013
【図１３】
0005621434.tif 000014